(57)【要約】      （修正有）【課題】受光部および制御ユニット間の配線が容易に行えるとともに高さ寸法を抑制可能なセンサ付き照明器具を提供する。【解決手段】センサ付き照明器具１は、光源２と、一端側３ａに開口１８およびフランジ部１９を有し、他端側３ｂの内側に光源２が配設される器具本体３と、器具本体３の側方に突出する突出部４ｃを有して器具本体３の他端側３ｂの頂部３ｃに取り付けられ、突出部４ｃの下面４ｂ側に外部電源に接続される一対の端子台２８，２９が並設された天板４と、フランジ部１９の下方に露出するように配設された受光部および受光部の検出に応じて光源２の点灯状態を制御する制御信号を出力するセンサユニットがフランジ部１９の天板４の突出部４ｃに対向する位置に設けられたセンサ手段５と、天板４に並設された一対の端子台２８，２９間に配設され、制御信号の入力により光源の点灯状態を制御する制御ユニット６を具備している。【選択図】図１
2012185986.tif 000002
【特許請求の範囲】
【請求項１】
光源と；
一端側に開口およびこの開口の周縁から外方に突出するフランジ部を有し、他端側の内側に前記光源が配設される器具本体と；
この器具本体の側方に突出する突出部を有して前記器具本体の他端側の頂部に取り付けられ、前記突出部の下面側に外部電源に接続される一対の端子台が並設された天板と；
前記フランジ部の下方に露出するように配設された受光部およびこの受光部の検出に応じて前記光源の点灯状態を制御する制御信号を出力するセンサユニットを有し、前記受光部および前記センサユニットが前記フランジ部の前記天板の突出部に対向する位置に設けられたセンサ手段と；
前記天板に並設された一対の端子台間に配設され、前記制御信号の入力により前記光源の点灯状態を制御する制御ユニットと；
を具備していることを特徴とするセンサ付き照明器具。
【請求項２】
前記天板の突出部に対向する位置の前記フランジ部の外側面に前記センサユニットの操作手段が設けられていることを特徴とする請求項１記載のセンサ付き照明器具。
【発明の詳細な説明】
【技術分野】
【０００１】
本発明の実施形態は、人感センサや照度センサなどを有するセンサ付き照明器具に関する。
【背景技術】
【０００２】
光源としてＬＥＤを用いたＬＥＤ照明器具は、ＬＥＤが省電力であり長寿命であることなどにより、蛍光ランプや白熱ランプなどを光源とする照明器具に替えて急速に普及している。そして、ＬＥＤ照明器具においても、センサの検出による人体の有無や周囲の明るさなどに応じて、ＬＥＤの点灯状態を制御することが行われている。
【０００３】
例えば天井に埋設されるダウンライトにおいては、特許文献１に示すように、環状ケースの下面側にセンサ部（受光部）が設けられ、環状ケースの外面側にスイッチが設けられている。このスイッチは、例えば、人感センサが人体を検出しなくなった後に光源を消灯させる遅延時間を選択し、光源を点灯させる周囲の明るさを選択し、またはセンサの検出に応じて光源を点灯、消灯させるか、全光、調光点灯させるかを選択するものである。
【０００４】
そして、センサ付き照明器具は、センサ部の検出およびスイッチの設定に応じて、光源の点灯状態を制御する制御ユニットが上記環状ケース内など適宜の位置に配設されている。
【先行技術文献】
【特許文献】
【０００５】
【特許文献１】特開２００３−１４１９２６号公報（第２頁、第１図）
【発明の概要】
【発明が解決しようとする課題】
【０００６】
制御ユニットを環状ケース内に設けると、環状ケースの高さ寸法が大きくなって、照明器具の美観が損なわれるというという問題があった。また、制御ユニットを天井の背面側の器具本体に設けると、設置部分が必要となって、器具本体の高さ寸法が大きくなるという問題があった。また、制御ユニットは、センサ部、スイッチや入力用端子台に配線されるものであり、その配線の簡素化が求められている。
【０００７】
本実施形態は、受光部および制御ユニット間の配線が容易に行えるとともに高さ寸法を抑制可能なセンサ付き照明器具を提供することを目的とする。
【課題を解決するための手段】
【０００８】
本実施形態のセンサ付き照明器具は、光源、器具本体、天板、センサ手段および制御ユニットを有して構成される。
【０００９】
器具本体は、一端側に開口およびこの開口の周縁から外方に突出するフランジ部を有するように形成される。そして、他端側の内側に、光源が配設される。
【００１０】
天板は、器具本体の側方に突出する突出部を有して器具本体の他端側の頂部に取り付けられる。そして、天板の突出部の下面側には、外部電源に接続される一対の端子台が並設される。
【００１１】
センサ手段は、それぞれ器具本体のフランジ部の天板の突出部に対向する位置に設けられた受光部およびセンサユニットを有してなる。受光部は、器具本体のフランジ部の下方に露出するように配設される。センサユニットは、受光部の検出に応じて光源の点灯状態を制御する制御信号を制御ユニットに出力するように形成される。
【００１２】
制御ユニットは、天板に並設された一対の端子台間に配設される。そして、センサユニットから出力された制御信号により光源の点灯状態を制御するように形成されている。
【発明の効果】
【００１３】
本発明の実施形態によれば、センサ付き照明器具は、センサ手段の受光部およびセンサユニットが器具本体のフランジ部の天板の突出部に対向する位置に設けられ、制御ユニットが天板に並設された一対の端子台間に配設されるので、制御ユニットと、受光部、センサユニットおよび一対の端子台との配線を引き回すことなく行えて、受光部および制御ユニット間の配線を容易に行うことができる。また、制御ユニットは、天板に並設された一対の端子台間に配設されるので、器具本体の高さ寸法を抑制できるという効果を有する。
【図面の簡単な説明】
【００１４】
【図１】本発明の実施形態を示すセンサ付き照明器具であり、（ａ）は概略正面図、（ｂ）は概略下面図である。
【図２】同じく、センサ付き照明器具であり、（ａ）は図２（ｂ）のＡ−Ａ方向の概略側断面図、（ｂ）は光源を取り外した状態の概略下面図である。
【図３】同じく、センサ付き照明器具の概略右側面図である。
【図４】同じく、環状体の概略縦断面図である。
【図５】同じく、光源を示し、（ａ）は概略正面図、（ｂ）は概略下面図である。
【図６】同じく、スイッチの設定を示す説明図である。
【図７】同じく、制御ユニットへの配線を示す接続図である。
【発明を実施するための形態】
【００１５】
以下、本発明の一実施の形態について、図面を参照して説明する。
【００１６】
本実施形態のセンサ付き照明器具１は、図１ないし図７に示すように構成されている。
【００１７】
図１において、センサ付き照明器具１は、天井等の造営物に埋め込まれて設置されるダウンライトであり、光源としてのＬＥＤランプ２、器具本体３、天板４、センサ手段５および制御ユニット６を有し、さらに操作手段としてのスイッチ７を備えて構成されている。また、センサ付き照明器具１は、一対の取付けばね８，８（図中、一方のみを示す。）を備えており、当該取付けばね８，８により造営物に固定されている。
【００１８】
ＬＥＤランプ２は、フラット形に形成され、器具本体３内に配設されている。図５（ａ）に示すように、ＬＥＤランプ２は、一端側９ａに透光性の保護カバー１０を取り付け、他端側９ｂにＧＸ５３形の口金部１１が形成された略円筒状の筐体９と、この筐体９内に配設されたＬＥＤベアチップを有してなる図示しない発光体およびＬＥＤベアチップを点灯、消灯または調光点灯させる図示しない点灯装置を有して形成されている。筐体９は、例えばポリブチレンテレフタレート（ＰＢＴ）樹脂にて形成され、保護カバー１０は、例えばポリカーボネート（ＰＣ）樹脂にて成型されている。
【００１９】
口金部１１は、筐体９の上面９ｃの中央部に突出形成された円筒状の突出部１２およびこの突出部１２に隣接し突出部１２に対して互いに１８０°の回転位置に配設された一対のランプピン１３，１３からなっている。一対のランプピン１３，１３は、例えば黄銅からなり、先端側が径大の略円筒状に形成され、筐体９内に配線されたリード線により点灯装置の入力側に接続されている。突出部１２の外周面１２ａには、略Ｌ形のキー溝部１４が互いに１８０°の回転位置となるように一対形成されている。このキー溝部１４は、ＬＥＤランプ２が装着されるソケットに設けられるキー凸部に嵌合し、ソケットを介して筐体９を器具本体３に固定するものである。
【００２０】
そして、筐体９の口金部１１側の外周面９ｄには、放熱面積を増加させるための三角形状の凹部１５が一定の間隔で形成されている。また、保護カバー１０の外面１０ａは、平面に形成され、その周縁側には直方体状の指掛け部１６，１６が突出形成されている。図６（ｂ）に示すように、指掛け部１６，１６は、１８０°回転対称に設けられている。また、外面１０ａの周縁側には、器具本体３への装着位置を表示する三角形のマーク１７が形成されている。
【００２１】
図２において、器具本体３は、合成樹脂例えばＡＢＳ樹脂にて成型され、一端側３ａに円形状の開口１８、この開口１８の周縁から開口１８の周回に亘って外方に突出する円形状のフランジ部１９を有する略円錐台状に形成されている。そして、器具本体３の他端側３ｂの頂部としての上面３ｃに、天板４が図示しないねじにより取り付けられている。フランジ部１９には、図２（ｂ）に示すように、開口１８の周縁側に挿通孔１９ｃが形成されている。
【００２２】
器具本体３の上面３ｃの反対側の下面３ｄには、図２（ａ）に示すように、４本のリブ２１が立設されている。このリブ２１に、図２（ｂ）に示すように、ＬＥＤランプ２が装着されるソケット２２がねじ２３により取り付けられている。ソケット２２は、合成樹脂例えばＡＢＳ樹脂からなり、その外周側に切り欠き２４ａ，２４ｂを有するリング状に形成されている。ソケット２２は、中央孔２５を有する円筒体２６（図２（ａ）に示す。）が背面側（器具本体３の下面３ｄ側）に突出するように設けられ、中央孔２５の周りに互いに１８０°回転対称となるように一対のだるま孔２７，２７が形成されている。
【００２３】
そして、ＬＥＤランプ２の突出部１２が中央孔２５に挿入され、一対のランプピン１３,１３が一対のだるま孔２７，２７に挿入される。そして、ＬＥＤランプ２が回動されることにより、一対のランプピン１３,１３がソケット２２の背面側にだるま孔２７に沿うように設けられている図示しない一対の受け金にそれぞれ接続する。
【００２４】
また、ＬＥＤランプ２のキー溝部１４に円筒体２６に設けられた図示しないキー凸部が嵌合し、ＬＥＤランプ２がソケット２２に固定される。ソケット２２の一対の受け金は、図示しないリード線により制御ユニット６に接続されている。すなわち、器具本体３の外面３ｅの下面３ｄ側には、図２（ａ）に示すように、リード線が相通される挿通口３ｆが形成されている。この挿通口３ｆからソケット２２に接続されたリード線が導出されて、制御ユニット６に接続されている。こうして、器具本体３は、他端側３ｂの内側に光源としてのＬＥＤランプ２を配設している。
【００２５】
そして、図３に示すように、器具本体３は、その外面３ｅ側に一対の取付けばね８，８が設けられている。器具本体３は、一対の取付けばね８，８と器具本体３のフランジ部１９とにより天井等の造営物を挟持することにより、造営物に取り付けられる。なお、図１（ｂ）および図２においては、一対の取付けばね８，８は省略している。
【００２６】
図１において、天板４は、例えば金属製の平板からなり、略長方形に形成され、器具本体３の上面３ｃに図示しないねじにより取り付けられているとともに、その一部４ｃが器具本体３の側方に突出している。すなわち、天板４は、器具本体３の側方に突出する突出部４ｃを有している。天板４の長手方向の両端側の一部は、ほぼ直角に折曲されている。
【００２７】
天板４の突出部４ｃの下面４ｂには、図１（ｂ）に示すように、一対の端子台２８，２９が並設されている。すなわち、商用交流電源に接続される入力用端子台２８と、並設されている他のセンサ付き照明器具１に交流電源を接続する送り用端子台２９とが配設されている。そして、一対の端子台２８，２９間に制御ユニット６が配設されている。制御ユニット６は、一対の端子台２８，２９およびソケット２２に接続されており、入力用端子台２８に入力される交流電源が入力される。
【００２８】
そして、器具本体３の外面３ｅの下面３ｄ側に形成された挿通口３ｆおよびフランジ部１９の開口１８の周縁側に形成された挿通孔１９ｃは、それぞれ天板４の突出部４ｃ側に露出するように設けられている。
【００２９】
センサ手段５は、後述の受光部３０およびセンサユニット３１を有してなり、環状体３２に設けられている。この環状体３２は、図２（ａ）に示すように、器具本体３のフランジ部１９に取り付けられている。
【００３０】
環状体３２は、合成樹脂例えばＡＢＳ樹脂により、器具本体３のフランジ部１９よりも若干径大であって断面略長方形の環状に形成され、その中央に円形状であって器具本体３の開口１８とほぼ同径の連通口３３を有している。そして、環状体３２は、ダボ３４に螺着されたねじ３５により、器具本体３のフランジ部１９に取り付けられている。
【００３１】
ダボ３４は、環状体３２内に形成され、環状体３２の周回方向に複数個が設けられている。ダボ３４は、環状体３２と一体化されていて、下面３２ｂの反対側の底面３２ｅから立設し、その上面が環状体３２の上面３２ａからフランジ部１９の板厚分小さくなるように円柱に形成されている。ダボ３４には、ねじ３５が螺着されるねじ孔３６が形成されている。そして、ダボ３４および環状体３２の内壁面３２ｃは、器具本体３のフランジ部１９の上面１９ａと環状体３２の上面３２ａとを同一面にする分、外壁面３２ｄよりも小さく立設されている。
【００３２】
器具本体３のフランジ部１９には、ダボ３４のねじ孔３６に対応する位置に、ねじ３５の頭部３５ａが埋め込まれる図示しない凹部およびこの凹部からねじ３５が貫通される図示しない貫通孔が形成されている。
【００３３】
環状体３２を器具本体３に取り付けるには、フランジ部１９の下面１９ｂに環状体３２のダボ３４および内壁面３２ｃを当接させるとともに、ダボ３４のねじ孔３６にフランジ部１９の貫通孔が正対するように、フランジ部１９と環状体３２とを位置合わせする。そして、フランジ部１９の凹部からねじ３５をダボ３４のねじ孔３６に完全にねじ込む。これにより、環状体３２は、器具本体３のフランジ部１９の下面１９ｂ側に取り付けられる。
【００３４】
環状体３２は、図４に示すように、内部に内壁面３２ｃおよび外壁面３２ｄに沿う環状溝３７が周回に亘って形成されている。また、環状体３２の下面３２ｂには、環状溝３７に連通する円形状の開口３８が形成されている。また、外壁面３２ｄの上面３２ａ側には、周回方向に所定長に亘って切り欠きされた切り欠き部３９を有している。
【００３５】
そして、環状溝３７にセンサ手段５が収納されている。ここで、センサ手段５は、環状体３２の天板４の突出部４ｃに対向する位置に設けられている。環状体３２は、器具本体３のフランジ部１９に取り付けられているので、センサ手段５は、フランジ部１９の天板４の突出部４ｃに対向する位置に設けられている。
【００３６】
なお、環状体３２は、センサ手段５が設けられる部位を除き、中実な構造であってもよい。しかし、環状体３２を可能な限り軽量にするなどの点からして、環状体３２の周回に亘って環状溝３７が形成されているのが好適である。
【００３７】
受光部３０は、例えば円形状の基板４０に実装されているとともに、基板４０に取り付けられた略砲弾状のレンズ４１により覆われている。受光部３０、基板４０およびレンズ４１は、センサ体４２を構成している。レンズ４１は、高密度ポリエチレンにより形成され、図示しない係止爪により基板４０に取り付けられている。センサ体４２は、そのレンズ４１が環状体３２の開口３８から下面３２ｂの外方に突出されて、受光部３０が下方に露出するように環状溝３７内に配設されている。
【００３８】
そして、センサ体４２は、図７に示すように、受光部３０が人体を検出する人感センサ３０ａ、周囲の明るさを検出する照度センサ３０ｂ、または人感センサ３０ａおよび照度センサ３０ｂの両方、あるいはリモコンから送信された制御信号を受信する受信素子３０ｃなどのいずれかに形成されている。基板４０には、検出状態を電気信号に変換する図示しない変換回路が形成されている。すなわち、センサ体４２は、検出対象を検出するように形成されている。
【００３９】
受光部３０は、例えばコネクタからなる出力端子部４３を介してセンサユニット３１の例えばコネクタからなる接続端子部４４に接続され、検出に応じた検出信号をセンサユニット３１に出力する。
【００４０】
センサユニット３１は、受光部３０の検出に応じてＬＥＤランプ２の点灯状態を制御する制御信号を制御ユニット６に出力するように、回路基板４５に電気回路が形成されている。また、センサユニット３１は、操作手段としてのスイッチ７に接続されていて、スイッチ７の選択に応じた制御信号を制御ユニット６に出力するように形成されている。
【００４１】
スイッチ７は、図４に示すように、回路基板４５に実装されたスイッチ本体４６と、選択的に手動操作される操作子４７を有して形成されている。回路基板４５は、環状溝３７に沿う長形の形状に形成されて、環状溝３７内に設けられている。スイッチ本体４６は、その操作子４７が環状体３２の切り欠き部３９から外側面としての外壁面３２ｄに露出するように回路基板４５に実装されている。すなわち、操作子４７は、環状体３２の外壁面３１ｄに設けられていて、環状体３２の外側から操作可能となっている。
【００４２】
そして、スイッチ７は、受光部３０の検出に応じてＬＥＤランプ２の点灯状態の制御を設定する３個からなっている。図６に示すように、スイッチ７ａは、受光部３０が人体を検出しなくなった時点からＬＥＤランプ２を消灯または調光点灯させる遅延時間を設定するものである。すなわち、操作子４７ａを図中「１０秒」、「１分」、「３分」の位置に移動させることにより、人感センサ３０ａが人体を検出しなくなった時点から制御ユニット６に設けられているタイマーがカウントを開始し、ＬＥＤランプ２は、当該設定時間後に消灯または調光点灯される。
【００４３】
また、スイッチ７ｂは、人感センサ３０ａおよび照度センサ３０ｂが検出する人体および周囲の明るさに応じてＬＥＤランプ２の点灯状態を設定するものであり、操作子４７ｂが図中「切」の位置であると、昼夜に係らず、人体を検出するとＬＥＤランプ２が全光点灯され、人体を検出しなくなると、ＬＥＤランプ２が消灯または調光点灯され、操作子４７ｂが「明」の位置であると、夕方など、周囲の明るさが例えば４５ルクス（ｌｘ）以下に低下し薄く暗くなったときに、ＬＥＤランプ２が点灯され、操作子４７ｂが「暗」の位置であると、夜など、周囲の明るさが例えば１５ルクス（ｌｘ）以下に低下して非常に暗くなったときに、ＬＥＤランプ２が点灯されるものである。
【００４４】
また、スイッチ７ｃは、ＬＥＤランプ２の点灯動作を設定するものである。すなわち、操作子４７ｃが図中「オン／オフ」の位置であると、受光部３０の検出に応じてＬＥＤランプ２を全光点灯または消灯させ、操作子４７ｃが「調光」の位置であると、受光部３０の検出に応じて、ＬＥＤランプ２を全光点灯または調光点灯（例えば２０％点灯)させるものである。
【００４５】
図４において、センサ体４２は、その受光部３０が基板４０の出力端子部４３（図示しない。）から導出されたリード線４８により回路基板４５の接続端子部４４（図示しない。）に接続されている。そして、回路基板４５は、リード線４９により図示しない制御ユニット６に接続されている。ここで、リード線４８およびリード線４９は、それぞれ複数本からなっている。
【００４６】
回路基板４５から導出されたリード線４９は、器具本体３のフランジ部１９の挿通孔１９ｃから器具本体３の外面３ｅ側に導かれ、当該外面３ｅ上に沿って配設され、天板４の突出部４ｃの下面４ｂ側に配設されている制御ユニット６に接続されている。
【００４７】
こうして、受光部３０を有して構成されるセンサ体４２、センサユニット３１およびスイッチ７は、環状体３２の内部に形成された環状溝３７に収納されて、制御ユニット６に接続されている。そして、センサユニット３１のスイッチ７の操作子４７を環状体３２の外側面としての外壁面３２ｄ側で操作することにより、ＬＥＤランプ２の点灯状態を設定可能となっている。
【００４８】
センサ体４２、センサユニット３１およびスイッチ７は、環状体３２に収納されていることにより、器具本体３のフランジ部１９に取り付けられている。
【００４９】
制御ユニット６は、図２において説明したように、天板４の突出部４ｃの下面４ｂであって一対の端子台２８，２９間に配設されている。そして、図７に示すように、制御ユニット６は、その入力側が入力用端子台２８を介して商用交流電源Ｖｓに接続され、その出力側がＬＥＤランプ２の点灯装置５０に接続されている。すなわち、制御ユニット６と点灯装置５０を接続しているリード線５１は、器具本体３の外面３ｅの下面３ｄ側に形成された挿通口３ｆを介して器具本体３内のソケット２２から導出され、制御ユニット６に接続されている。
【００５０】
また、制御ユニット６は、上述したように、器具本体３のフランジ部１９に形成された挿通孔１９ｃから導出し、器具本体３の外面３ｅ側に配設されるセンサ手段５のセンサユニット３１からのリード線４９が接続されている。
【００５１】
そして、制御ユニット６は、センサ体４２の受光部３０の検出およびスイッチ７の前記設定に応じて、ＬＥＤランプ２の点灯状態を制御する既知の構成により形成されている。すなわち、制御ユニット６は、人感センサ３０ａ、照度センサ３０ｂおよびリモコン受信素子３０ｃなどのいずれにも対応し、スイッチ７ａ〜７ｃのいずれの設定にも対応するように形成されている。例えば、半導体スイッチまたはリレーを備えており、センサ体４２の受光部３０の検出に応じて商用交流電源Ｖｓの交流電圧をＬＥＤランプ２の点灯装置５０に供給または遮断することにより、ＬＥＤランプ２を点灯または消灯させる。また、例えば位相制御素子を備えており、センサ体４２の受光部３０の検出に応じて商用交流電源Ｖｓの交流電圧の導通位相角を可変して、ＬＥＤランプ２を調光点灯させるように形成されている。
【００５２】
次に、本発明の実施形態の作用について述べる。
【００５３】
制御ユニット６は、人感センサ３０ａや照度センサ３０ｂなどの複数種の少なくとも１つの受光部３０が接続され、ＬＥＤランプ２の点灯状態の制御が設定されるスイッチ７ａ〜７ｃが接続されて、センサ体４２の受光部３０の検出およびスイッチ７ａ〜７ｃの設定に応じてＬＥＤランプ２の点灯状態を制御する。したがって、検出対象に応じた受光部３０を具備することにより、当該センサ付きの照明器具１が容易に構成される。
【００５４】
そして、受光部３０を有するセンサ体４２およびスイッチ７を具備するセンサユニット３１が天板４の突出部４ｃに対向する環状体３２の環状溝３７に設けられているので、受光部３０を短いリード線４８により容易にセンサユニット３１に接続できるとともに、センサユニット３１のリード線４９をフランジ部１９の挿通孔１９ｃから導出させて、天板４の突出部４ｃ側の器具本体３の外面３ｅに沿わせて配設し、天板４の突出部４ｃの下面４ｂ側に配設されている制御ユニット６に接続することができる。すなわち、リード線４９は、器具本体３の外面３ｅ側で引き回すことなく略最短長で制御ユニット６に接続される。
【００５５】
そして、制御ユニット６は、並設された一対の端子台２８，２９間に配設されているので、一対の端子台２８，２９との接続を容易に行える。
【００５６】
本実施形態によれば、センサ付き照明器具１は、センサ手段５の受光部３０およびセンサユニット３１が器具本体３のフランジ部１９に取り付けられた環状体３２の天板４の突出部４ｃに対向する位置に設けられていて、制御ユニット６が天板４に並設された一対の端子台２８，２９間に配設されているので、制御ユニット６と、受光部３０、センサユニット３１および一対の端子台２８，２９との配線を引き回すことなく行うことができて、受光部３０および制御ユニット６間の配線を容易に行うことができる。また、制御ユニット６は、天板４に並設された一対の端子台２８，２９間に配設されるので、器具本体３の高さ寸法や環状体３２の高さ寸法を抑制できるという効果を有する。
【００５７】
また、センサユニット３１の操作手段としてのスイッチ７は、環状体３２の外側面としての外壁面３２ｄに設けられているので、ＬＥＤランプ２の点灯状態の設定を容易に行うことができるという効果を有する。
【００５８】
なお、本実施形態において、受光部３０は、検出対象を検出できれば、環状体３２の下面３１から突出させるように設けなくてもよく、開口３８に正対するように環状溝３７内に設けられてもよい。また、スイッチ７は、受光部３０に対応したものを備えていれば、上述の３個に限定されず、少なくてもよい。
【００５９】
また、センサ付き照明器具１は、天井等に埋め込まれるダウンライトの埋込型照明器具で説明したが、これに限らず、直付け型照明器具や吊り下げ型照明器具などであってもよい。また、光源は、ＧＸ５３形のＬＥＤランプ２で説明したが、これに限らず、ＬＥＤ電球、白熱電球や蛍光ランプなど、照明光を放射するものであればよい。
【符号の説明】
【００６０】
１…センサ付き照明器具、  ２…光源としてのＬＥＤランプ、  ３…器具本体、  ３ｃ…頂部としての上面、  ４…天板、  ４ｃ…突出部、  ５…センサ手段、  ６…制御ユニット、７…操作手段としてのスイッチ、  １８…開口、  １９…フランジ部、  ２８，２９…一対の端子台、  ３０…受光部、  ３１…センサユニット、  ３２ｄ…外側面としての外壁面
【図１】
2012185986.tif 000003
【図２】
2012185986.tif 000004
【図３】
2012185986.tif 000005
【図４】
2012185986.tif 000006
【図５】
2012185986.tif 000007
【図６】
2012185986.tif 000008
【図７】
2012185986.tif 000009